(57)【特許請求の範囲】
【請求項１】
農作地に隣接した領域に設置される照明装置であって、
基板上に配置された複数の光源と、
前記複数の光源から照射される光のうち所定の波長の光を遮光する遮光板とを備え、
前記遮光板は、
前記基板上であって、少なくとも前記複数の光源のうち最も前記農作地側に配置された光源よりも前記農作地側に設けられ、
前記複数の光源からの光のうち前記遮光板を透過した第１の照射光を前記農作地に照射し、前記複数の光源からの光のうち前記遮光板を透過しなかった第２の照射光を前記農作地に照射しない形状を有している
照明装置。
【請求項２】
前記所定の波長は、５５０ｎｍ以上７１０ｎｍ以下の波長である
請求項１に記載の照明装置。
【請求項３】
前記照明装置は、前記農作地側の一端に、前記照明装置を支柱に取り付けるための取付部を備え、
前記遮光板は、前記照明装置の前記農作地側の一端から前記取付部が配置されていない他端に向かう方向と交差する方向の幅が、前記複数の光源のいずれの幅よりも大きい
請求項１または２に記載の照明装置。
【請求項４】
前記遮光板の高さは、前記複数の光源のいずれの高さよりも大きい
請求項１〜３のいずれか１項に記載の照明装置。
【請求項５】
前記第２の照射光の相関色温度は、２６００Ｋ以上１９０００Ｋ以下である
請求項１に記載の照明装置。
【請求項６】
前記第１の照射光は、前記第２の照射光に対して、光源色の区分を少なくとも１区分高くした光である
請求項１〜５のいずれか１項に記載の照明装置。
【請求項７】
前記第１の照射光の放射エネルギーの割合は、前記第２の照射光の放射エネルギーの割合よりも５％以上低い
請求項１〜６のいずれか１項に記載の照明装置。
【請求項８】
前記遮光板は、前記複数の光源の１個ごとに設けられている
請求項１〜７のいずれか１項に記載の照明装置。
【請求項９】
前記遮光板は、前記複数の光源の間ごとに設けられている
請求項１〜７のいずれか１項に記載の照明装置。
【請求項１０】
前記遮光板は、前記複数の光源が直線状に配置された領域を挟むように設けられている
請求項１〜７のいずれか１項に記載の照明装置。
【請求項１１】
前記第１の照射光は、前記農作地の方向へ、前記第２の照射光の最大光度方向に対して７０度の照射角度以上の領域を少なくとも含むように照射される
請求項１〜１０のいずれか１項に記載の照明装置。
【請求項１２】
前記遮光板の高さ方向は、前記複数の光源の光軸方向と並行である
請求項１〜１１のいずれか１項に記載の照明装置。
【請求項１３】
前記複数の光源は、発光素子と光学レンズとを有し、
前記発光素子は、前記光学レンズで覆われている
請求項１〜１２のいずれか１項に記載の照明装置。
【発明の詳細な説明】
【技術分野】
【０００１】
本発明は、照明装置に関する。
【背景技術】
【０００２】
従来、夜間の街路空間または道路空間等には、歩行者または車両の運転者の視認性を確保するために、屋外灯または防犯灯等の照明装置が設置されている（例えば、特許文献１参照）。特許文献１に開示されている照明装置は、下側照射部と上側照射部を備えることにより不要なまぶしさを軽減し、視認性を確保しつつ人が感じる不快感を低減している。
【先行技術文献】
【特許文献】
【０００３】
【特許文献１】特開２０１２−２２７０４１号公報
【発明の概要】
【発明が解決しようとする課題】
【０００４】
しかし、長日性または短日性植物のように光周性を示す植物は、夜間に照明装置からの照射光に照射されることによって光周性が乱され、花芽の形成が抑制または促進されるという光害を受ける。これにより、照明装置が設置された空間の近傍で栽培される農作物には、品質の低下や収穫量の低下という問題が生じる。
【０００５】
そこで、本発明は、農作物に対する光害の発生を抑制することができる照明装置を提供することを目的とする。
【課題を解決するための手段】
【０００６】
本発明の一態様に係る照明装置は、農作地に隣接した領域に設置される照明装置であって、基板上に配置された複数の光源と、前記複数の光源から照射される光のうち所定の波長の光を遮光する遮光板とを備え、前記遮光板は、前記基板上であって、少なくとも前記複数の光源のうち最も前記農作地側に配置された光源よりも前記農作地側に設けられ、前記複数の光源からの光のうち前記遮光板を透過した第１の照射光を前記農作地に照射し、前記複数の光源からの光のうち前記遮光板を透過しなかった第２の照射光を前記農作地に照射しない形状を有している。
【発明の効果】
【０００７】
本発明にかかる照明装置は、農作物に対する光害の発生を抑制することができる。
【図面の簡単な説明】
【０００８】
【図１】実施の形態に係る照明装置の使用状態を示す図である。
【図２】実施の形態に係る照明装置の構成を示す斜視図である。
【図３】実施の形態に係る照明装置の構成を示す概略図である。
【図４】Ｐｒ型フィトクロムが反応する光の波長領域を示す図である。
【図５】相関色温度に対する波長５５０ｎｍ以上７１０ｎｍ以下の波長の放射エネルギーの割合を示す図である。
【図６】実施の形態に係る照明装置の第１の照射光および第２の照射光の照射方向の一例を示す図である。
【図７】変形例１に係る照明装置の構成を示す概略図である。
【図８】変形例２に係る照明装置の構成を示す概略図である。
【発明を実施するための形態】
【０００９】
以下、本発明の実施の形態について、図面を参照しながら説明する。なお、以下で説明する実施の形態は、いずれも包括的または具体的な例を示すものである。以下の実施の形態で示される数値、形状、材料、構成要素、構成要素の配置位置および接続形態などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態）
［概要］
はじめに、本実施の形態にかかる照明装置の概要について説明する。図１は、本実施の形態に係る照明装置１の使用状態を示す図である。
【００１２】
本実施の形態にかかる照明装置１は、図１に示すように、夜間の街路空間または道路空間等で使用される屋外灯または防犯灯等の照明装置である。具体的には、車道または歩道等の道路の端に設置される照明装置を想定している。
【００１３】
道路の端に設置される照明装置は、図１の矢印Ｂに示すように、道路を照射するだけでなく、道路に農作地が隣接している場合には、図１の矢印Ａに示すように、隣接した農作地も照射する。
【００１４】
このとき、農作地において光周性を示す植物が栽培されていると、栽培されている植物は、夜間に照明装置に照射されることによって光周性が乱される。光周性とは、昼の長さ（明期）と夜の長さ（暗期）の変化に応じて植物等の生物が示す現象をいう。
【００１５】
具体的には、光周性を示す植物は、葉の細胞内に赤外光吸収型（Ｐｒ型）フィトクロムという物質を含んでいる。Ｐｒ型フィトクロムは、約５５０ｎｍ以上７１０ｎｍ以下の波長の光を吸収し易いという性質を有している。Ｐｒ型フィトクロムが夜間照明に含まれる約５５０ｎｍ以上７１０ｎｍ以下の波長の光を吸収するため、照明装置の設置位置の近傍で栽培される農作物は、本来光を受けないはずの夜間に光を受けることにより光周性を乱される。これにより、農作物は、花芽の形成が抑制または促進されるという光害を受ける。したがって、農作物には、品質の低下や収穫量の低下という問題が生じる。
【００１６】
この問題を解決するために、本実施の形態に係る照明装置１は、所定の波長の光を遮光する遮光板により、光源から農作物に照射される光から特定の波長の光を遮光して、遮光した光を農作地側に照射する。これにより、農作物に対して光害の発生を抑制している。
【００１７】
以下、照明装置１について説明する。
【００１８】
［照明装置の構成］
まず、本実施の形態に係る照明装置１の構成について説明する。図２は、本実施の形態に係る照明装置１の構成を示す斜視図である。図３は、本実施の形態に係る照明装置１の構成を示す概略図であり、（ａ）は正面図、（ｂ）は底面図である。なお、図３の（ｂ）においては、照明カバー１６の図示を省略している。
【００１９】
図２および図３に示すように、照明装置１は、器具本体である筐体１０と、基板１１と、複数の光源１２と、遮光板１４と、照明カバー１６と、取付部１８と、電源ユニット（図示せず）とを備えている。
【００２０】
筐体１０は、基板１１を支持するための筐体である。筐体１０は、例えばアルミニウム板または鋼板等の板金をプレス加工することによって、所定の形状に成形されている。
【００２１】
基板１１は、複数の光源１２を実装するためのプリント配線基板であり、Ｘ−Ｙ平面視において矩形状に形成されている。基板１１上には、銅箔パターンで形成された配線パターン（図示せず）が配置されている。なお、基板１１としては、例えば、樹脂基板、メタルベース基板、セラミック基板、紙フェノール基板またはガラス基板等を用いることができる。
【００２２】
複数の光源１２の各々は、発光素子１２ａと光学レンズ１２ｂとを有している。発光素子１２ａは、例えば、パッケージ化された表面実装（ＳＭＤ：Ｓｕｒｆａｃｅ  Ｍｏｕｎｔ  Ｄｅｖｉｃｅ）型の白色ＬＥＤ（Ｌｉｇｈｔ  Ｅｍｉｔｔｉｎｇ  Ｄｉｏｄｅ）素子である。発光素子１２ａは、基板１１の配線パターンに実装されている。発光素子１２ａは、例えば、基板１１上において、図２および図３に示したＸＹＺ方向のうちのＸ方向に直線状に配置されている。なお、発光素子１２ａは、基板１１上に、直線状に限らずどのように配置されてもよい。
【００２３】
発光素子１２ａは、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００２４】
このように、発光素子１２ａは、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放射する。この放射された黄色光と黄色蛍光体に吸収されなかった青色光とが混ざることにより、白色光が生成される。このようにして発光素子１２ａから白色光が放射される。なお、発光素子１２ａの各々から放射される白色光には、可視波長である３８０ｎｍ以上７８０ｎｍ以下の波長の光が含まれている。
【００２５】
また、発光素子１２ａは、光学レンズ１２ｂで覆われている。光学レンズ１２ｂは、例えば、アクリル樹脂などの透光性を有する部材で構成されている。光源１２は、発光素子１２ａが光学レンズ１２ｂで覆われた構成であることにより、発光素子１２ａの光軸方向だけでなく、光軸方向と垂直な方向および他の方向にも光を照射することができる。なお、光源１２は、発光素子１２ａが光学レンズ１２ｂで覆われていない構成であってもよい。
【００２６】
なお、電源ユニットは、光源１２が発光するための電力および照明装置１が動作するために必要なその他の電力を供給する電源である。
【００２７】
遮光板１４は、複数の光源１２の各々から放射される光に対して、所定の波長の光を遮光するための遮光板である。ここでいう所定の波長とは、例えば、農作物に含まれているＰｒ型フィトクロムが反応する光の波長である。
【００２８】
遮光板１４は、複数の光源１２からの光のうち遮光板１４を透過した第１の照射光Ａを農作地に照射し、複数の光源１２からの光のうち遮光板１４を透過しなかった第２の照射光Ｂを農作地に照射しない形状を有している。例えば、遮光板１４は、Ｙ−Ｚ平面視において矩形状に形成された板状の部材で構成されている。
【００２９】
遮光板１４は、基板１１上であって、複数の光源１２が配置された方向の、少なくとも複数の光源１２のうち最も農作地側に配置された光源よりも農作地側に配置されている。具体的には、遮光板１４は、複数の光源１２のうち最も農作地側に配置された光源１２よりも農作地側と、最も道路側に配置された光源１２よりも道路側と、複数の光源１２のそれぞれの間に配置されている。これにより、複数の光源１２から照射される所定の波長の光を、光源１２の近傍でそれぞれ遮光することができる。なお、光源１２は、少なくとも最も農作地側に配置された光源１２よりも農作地側に配置されていればよい。また、遮光板１４は、遮光板１４の高さ方向と光源１２の光軸方向とが並行になるように配置されている。これにより、少なくとも光軸方向には、所定の波長の光を遮光していない光を照射することができる。
【００３０】
なお、遮光板１４について、図２および図３に示したＸＹＺ方向のうちのＸ方向の長さを厚さ、Ｙ方向の長さを幅、Ｚ方向の長さを高さと呼ぶ。つまり、照明装置１の農作地側の一端には後に詳述する取付部１８が配置されており、照明装置１において取付部１８が配置された農作地側の一端から取付部１８が配置されていない他端に向かう方向がＸ方向、基板１１上においてＸ方向と交差する方向がＹ方向である。また、遮光板１４において、図２および図３におけるＸ方向を厚さ方向、Ｙ方向を幅方向、Ｚ方向を高さ方向と呼ぶ。
【００３１】
また、光源１２の光軸方向とは、基板１１に対する法線方向、すなわち、図２および図３におけるＺ方向のことをいう。また、図３において、遮光板１４を透過した第１の照射光Ａおよび遮光板１４を透過しなかった第２の照射光Ｂの照射方向の一例を矢印で示している。第１の照射光Ａについては、遮光板１４の高さ方向の端部を透過した光の一例を示している。また、第２の照射光Ｂについては、光軸方向の光の一例を示している。遮光板１４の特性および詳細な構成については後に詳述する。
【００３２】
照明カバー１６は、複数の光源１２および複数の遮光板１４を覆うための外カバーである。照明カバー１６は、透光性を有する樹脂材料で形成されている。例えば、照明カバー１６は、アクリル（ＰＭＭＡ）またはポリカーボネート（ＰＣ）等で形成されている。照明カバー１６は、例えば平板状に形成され、筐体１０の開口部に着脱自在に取り付けられる。これにより、照明カバー１６の内側（すなわち、筐体１０側）には、基板１１上に形成された複数の光源１２および遮光板１４が収容される。なお、照明カバー１６は、平板状のものに限らず、曲面を有する形状であってもよい。
【００３３】
取付部１８は、道路に設置されている支柱２０（図１参照）に照明装置１を取り付けるための部材である。取付部１８は、例えば前記照明装置１の農作地側の一端において、筐体１０に接合されている。照明装置１は、例えば、取付部１８が支柱２０に支柱取付用ベルト（図示せず）、取付具（図示せず）およびボルト（図示せず）で固定されることにより支柱２０に設置される。取付部１８は、支柱取付用のベルトを通すためのベルト穴１８ａと、取付具へ固定するためのネジ穴１８ｂとを有し、支柱にベルト取り付けされた取付具にボルトにより固定されるとともに、支柱取付用のベルトにより支柱に固定される。なお、支柱２０は、照明装置１専用の支柱であってもよいし、電柱などの他の支柱であってもよい。照明装置１の支柱２０への取付位置については、後に詳述する。
【００３４】
このような構成より、照明装置１は、複数の光源１２からの光のうち遮光板１４を透過した第１の照射光Ａを農作地の方向に照射し、遮光板１４を透過しなかった第２の照射光Ｂを農作地と反対の道路方向に照射する。複数の光源１２の各々から照射される光のうち、遮光板１４を透過した第１の照射光Ａは、所定の波長の光が遮光された光である。所定の波長の光については、後に詳述する。遮光板１４を透過しなかった第２の照射光Ｂは、可視波長である３８０ｎｍ以上７８０ｎｍ以下の波長の光を含む白色光である。
【００３５】
［遮光板の特性］
次に、遮光板１４の特性および詳細な構成について説明する。図４は、Ｐｒ型フィトクロムが反応する光の波長領域を示す図である。図４において、横軸には光の波長を示している。縦軸には、相対効果すなわちＰｒ型フィトクロムが反応する割合を示している。なお、破線で囲んだ領域は、光周性への影響が急激に高まる相対効果０．０４を境界として、相対効果が０．０４以上である波長領域を示している。
【００３６】
遮光板１４は、上述したように、Ｐｒ型フィトクロムが反応する光の波長を遮光するための遮光板である。Ｐｒ型フィトクロムは、図４に示すように、波長５５０ｎｍ程度の光が照射されるときに反応し始め、照射される波長が徐々に大きくなると、波長６８０ｎｍ程度で反応のピークに到達する。さらに、Ｐｒ型フィトクロムは、照射される光の波長が徐々に大きくなるにつれて反応しなくなり、７１０ｎｍより大きい波長の光では反応しない。したがって、本実施の形態では、Ｐｒ型フィトクロムが反応する光の波長を、波長５５０ｎｍ以上７１０ｎｍ以下の波長としている。したがって、遮光板１４は、少なくとも波長５５０ｎｍ以上７１０ｎｍ以下の波長を遮光することが好ましい。
【００３７】
遮光板１４は、例えば、上述した波長５５０ｎｍ以上７１０ｎｍ以下の波長の光を吸収する色素または顔料を練りこんだアクリル樹脂により形成されている。例えば、波長５５０ｎｍ以上７１０ｎｍ以下の波長の光を吸収する色素または顔料として、フタロシアニン化合物、インジゴ系化合物等を用いてもよい。なお、遮光板１４は、板状に形成されたアクリル樹脂またはガラスなど透光性を有する基板の表面に、上述した波長５５０ｎｍ以上７１０ｎｍ以下の波長の光を吸収する色素もしくは顔料を塗布したものであってもよい。また、アクリル樹脂やガラスなどの透光性を有する基板の表面に、酸化チタンのような高屈折率材料と、酸化ケイ素のような低屈折材料とを積層し、上述した５５０ｎｍ以上７１０ｎｍ以下の波長の光を反射させる光学多層膜を形成してもよい。
【００３８】
また、図５は、波長５５０ｎｍ以上７１０ｎｍ以下の波長の光の全照射光の放射エネルギーに対する割合を示す図である。図５において、横軸には相関色温度を示している。縦軸には、波長５５０ｎｍ以上７１０ｎｍ以下の波長の光の放射エネルギーの、全照射光の放射エネルギーに対する割合（以下、単に「放射エネルギーの割合」という。）を示している。
【００３９】
相関色温度は、光源の光色を表すものとして使用されるパラメータであり、その光源のｕｖ色度座標に最も近い色度座標をもつ黒体放射の絶対温度として定義される。相関色温度は、ＪＩＳ  Ｚ８１１３：１９９８やＩＥＣ  ６００５０−８４５等で定義されている。相関色温度は、例えば、ＪＩＳ  Ｚ８７２５：１９９９で規定されている相関色温度の測定方法に従って求める値である。光源の色度座標から最も近い黒体放射のもつ色度座標は、ＣＩＥ  １９６０  ＵＣＳ（uniform-chromaticity-scale）色度座標において光源の色度座標の点から、黒体放射軌跡に垂線を下したときの交点として求められる。図５において、相関色温度が２６００Ｋ〜３２００Ｋのときの光源色は電球色、３２００Ｋ〜３８００Ｋの光源色は温白色、３８００Ｋ〜４５００Ｋのときの光源色は白色、４７００Ｋ〜５５００Ｋのときの光源色は昼白色、５７５０Ｋ〜７０００Ｋのときの光源色は昼光色である。
【００４０】
図５に示すように、放射エネルギーの割合は、少なくとも５％低下すると、光源色の区分が１区分高い光源色となる。例えば、電球色の上限の相関色温度３２００Ｋのときの放射エネルギーの割合は約６６％であり、温白色の上限の相関色温度３８００Ｋのときの放射エネルギーの割合は、約５％低くした約６１％である。言い換えると、光源色の区分を少なくとも１区分高い光源色とすることにより、波長５５０ｎｍ以上７１０ｎｍ以下の波長の放射エネルギーを吸収して、当該波長の光を遮光することができるといえる。つまり、放射エネルギーの割合を５％以上低下することにより、波長５５０ｎｍ以上７１０ｎｍ以下の波長の光を遮光することができるといえる。
【００４１】
したがって、第１の照射光Ａは、第２の照射光Ｂに対して光源色の区分を少なくとも１区分高くした光であってもよい。また、第１の照射光Ａの放射エネルギーの割合は、第２の照射光Ｂの放射エネルギーの割合よりも５％以上低くしてもよい。これにより、第１の照射光Ａは、第２の照射光Ｂよりも波長５５０ｎｍ以上７１０ｎｍ以下の波長の光が低減された光とすることができる。
【００４２】
なお、第２の照射光Ｂについては特定の波長の光は遮光されないので、第２の照射光Ｂの相関色温度は、全ての光源色区分を含む２６００Ｋ以上１９０００Ｋ以下としてもよい。これにより、道路には、全ての光源色区分を含む第２の照射光を照射することができるので、歩行者や運転者の視認性を確保することができる。
【００４３】
遮光板１４の形状は、上述したように、例えば、Ｙ−Ｚ平面視において矩形状に形成された板状の部材で構成されている。遮光板１４の幅は、複数の光源１２のいずれの幅よりも大きく、遮光板１４の高さは、複数の光源１２のいずれの高さよりも大きい。なお、光源１２において、発光素子１２ａが光学レンズ１２ｂで覆われている場合には、遮光板１４の幅は、光学レンズ１２ｂの幅よりも大きく、遮光板１４の高さは、光学レンズ１２ｂの高さよりも大きいとしてもよい。光源１２において、発光素子１２ａが光学レンズ１２ｂで覆われていない場合には、遮光板１４の幅は発光素子１２ａの幅よりも大きく、遮光板１４の高さは発光素子１２ａの高さよりも大きいとしてもよい。
【００４４】
これにより、光源１２から出力され遮光板１４に入射する照射光の光量が多くなるので、波長５５０ｎｍ以上７１０ｎｍ以下の波長の光の遮光量を多くすることができる。
【００４５】
なお、遮光板１４の形状は、Ｙ−Ｚ平面視において矩形状以外の形状に形成されていてもよい。例えば、遮光板１４は、一辺が直線状でその他の部分が曲線状を有する形状、例えば半月状に形成されていてもよいし、その他の形状に形成されていてもよい。
【００４６】
［照射光の照射方向］
次に、第１の照射光および第２の照射光の照射方向について説明する。図６は、本実施の形態に係る照明装置１の第１の照射光Ａおよび第２の照射光Ｂの照射方向の一例を示す図である。
【００４７】
なお、図６では、照明装置１が取り付けられる環境の一例として、片側車線の車道と、車道に隣接する歩道と、歩道に隣接する畦と、畦に隣接する農作地とを示している。本実施の形態でいう道路とは、図６に示す車道、歩道および畦を含むものとする。また、図６に示す環境では、照明装置１は、歩道に設置されている支柱２０に取り付けられるものとする。
【００４８】
図６に示すように、照明装置１は、支柱２０に取り付けられることにより道路を照射するものである。したがって、照明装置１から照射される光のうちの第２の照射光Ｂは、少なくとも農作地と畦の境界から畦、歩道および片側車線の車道幅分の領域全てが照射されるのが好ましい。また、畦に隣接する農作地には、第１の照射光Ａのみが照射されることが好ましい。
【００４９】
以下、照明装置１が支柱２０に取り付けられる位置について説明する。なお、図６において、第１の照射光Ａについては、遮光板１４の高さ方向の端部を透過した光の一例を示している。また、第２の照射光Ｂについては、光軸方向の光の一例を示している。
【００５０】
まず、図６に示すように、片側車線の車道幅をａとする。片側車線の車道と歩道との境界（点Ｐ）から、支柱２０に取り付けられた照明装置１において複数の光源１２が直線状に配置された領域のＸ方向（図３参照）の中心（以下、「照明装置１の中心」という。）（点Ｏ）を鉛直下方に投影した位置（点Ｑ）までの幅をｂとする。照明装置１の中心を鉛直下方に投影した位置（点Ｑ）から、歩道と畦との境界（点Ｒ）までの幅をａ’とする。畦の幅をｂ’とする。片側車線の車道の歩道と反対側の端（点Ｓ）から、照明装置１の中心を鉛直下方に投影した位置（点Ｑ）までの幅をｄとする。照明装置１の中心を鉛直下方に投影した位置（点Ｑ）から、農作地と畦との境界（点Ｔ）までの幅をｄ’（＝ａ’＋ｂ’）とする。道路構造令に基づいて、上述した各幅の最低幅員をａ＝２ｍ、ｂ＝１ｍ、ａ’＝０．５、ｂ’＝０．５、ｄ＝３ｍ、ｄ’＝１ｍとおく。
【００５１】
また、支柱２０に取り付けられた照明装置１の高さについて、道路表面から照明装置１の中心（点Ｏ）までの高さをｈとする。照明装置１を防犯灯とする場合、ｈ＝４．５ｍである。
【００５２】
照明装置１は、複数の光源１２が直線状に並んだ方向が、水平方向と角度θ１をなすように支柱２０に取り付けられる。また、照明装置１の照明カバー１６が筐体１０よりも下側（道路側）に配置されるように取り付けられる。このとき、第２の照射光Ｂは道路側へ、第１の照射光Ａは農作地側へ照射される。また、照明装置１の中心を鉛直下方に投影した位置（点Ｑ）を基準（０度）として、照明装置１から片側車線の車道の歩道と反対側の端（点Ｓ）へ第２の照射光Ｂが照射する角度を角度θ２とする。なお、照明装置１から片側車線の車道の歩道と反対側の端（点Ｓ）へ第２の照射光Ｂが照射する方向の光度が最大となることが望ましいため、照明装置１から片側車線の車道の歩道と反対側の端（点Ｓ）へ第２の照射光Ｂが照射する方向を最大光度方向という。また、照明装置１の中心を鉛直下方に投影した位置（点Ｑ）を基準として、照明装置１から農作地と畦との境界（点Ｔ）へ第１の照射光Ａが照射する角度を角度θ３とする。また、角度θ２と角度θ３との和を角度θ４とする。角度θ４は、最大光度方向に対する第１の照射光Ａの農作地の方向への照射角度である。
【００５３】
第１の照射光Ａが、農作地を照射し、第２の照射光Ｂが車道の中央から農作地と畦との境界までの範囲を照射するには、上述した道路構造令に基づく最低幅員を考慮すると、θ１＝３０度、θ２＝約５６度、θ３＝約１３度、θ４＝約７０度であればよい。つまり、農作地の領域は、最大光度方向に対して照射角度が７０度以上の領域となる。したがって、第１の照射光Ａは、最大光度方向に対して７０度以上の照射角度の領域を少なくとも含むように照射されればよい。これにより、農作地には、第２の照射光Ｂは照射されず第１の照射光Ａのみが照射されることとなる。よって、農作物へは第２の照射光Ｂが照射されないので、農作物への光害を抑制することができる。
【００５４】
なお、上述した各パラメータの具体的数値は一例であるので、上述した数値に限定する必要はなく、適宜変更してもよい。
【００５５】
以上、本実施の形態にかかる照明装置１によると、遮光板１４によりＰｒ型フィトクロムが反応する所定の波長の光を遮光するので、農作物へは第１の照射光Ａのみが照射され第２の照射光Ｂは照射されない。よって、農作物への光害を抑制することができる。また、道路には、所定の波長の光を遮光していない第２の照射光Ｂが照射されるので、歩行者や運転者の視認性を確保することができる。
【００５６】
（変形例１）
次に、本実施の形態の変形例１について説明する。図７は、変形例１に係る照明装置２の構成を示す概略図であり、（ａ）は正面図、（ｂ）は底面図である。なお、図７の（ｂ）においては、照明カバー１６の図示を省略している。
【００５７】
変形例１にかかる照明装置２が実施の形態にかかる照明装置１と異なる点は、遮光板１４が、複数の光源１２の１個ごとに設けられている点である。
【００５８】
具体的には、図７に示すように、照明装置２は、実施の形態に示した照明装置１と同様、筐体１０と、基板１１と、複数の光源１２と、遮光板１４とを備えている。遮光板１４は、複数の光源１２の１個ごとに設けられている。すなわち、光源１２と遮光板１４とは一対の組をなしている。また、遮光板１４は、光源１２に対して農作地側に配置されている。
【００５９】
これにより、照明装置２において、道路側に配置される端には光源１２が配置され、道路側と反対側の農作地側に配置される端には遮光板１４が配置されている。遮光板１４が少なくとも農作地側に配置されていれば、遮光板１４により、光源１２から農作物に照射される光から波長５５０ｎｍ以上７１０ｎｍ以下の波長の光を遮光して、当該波長の光を遮光した第１の照射光Ａのみを農作地側に照射することができる。これにより、農作物に対して光害の発生を抑制することができる。
【００６０】
このように、本変形例にかかる照明装置２によると、複数の光源１２は、組をなしている遮光板１４によってそれぞれ波長５５０ｎｍ以上７１０ｎｍ以下の波長の光を遮光するので、より確実に当該波長の光を遮光することができる。したがって、農作物に対して光害の発生をより確実に抑制することができる。
【００６１】
（変形例２）
次に、本実施の形態の変形例２について説明する。図８は、変形例２に係る照明装置３の構成を示す概略図であり、（ａ）は正面図、（ｂ）は底面図である。なお、図８の（ｂ）においては、照明カバー１６の図示を省略している。
【００６２】
変形例２にかかる照明装置３が実施の形態にかかる照明装置１と異なる点は、遮光板１４が、複数の光源１２が直線状に配置された領域を挟むように設けられている点である。
【００６３】
具体的には、図８に示すように、照明装置３は、実施の形態に示した照明装置１と同様、筐体１０と、基板１１と、複数の光源１２と、遮光板１４とを備えている。ここで、遮光板１４は、複数の光源１２が直線状に配置された領域を挟むように、最も道路側に設けられた光源１２の道路側と、最も農作地側に設けられた光源１２の農作地側に配置されている。
【００６４】
これにより、複数の光源１２のすべてから照射される光を遮光板１４により遮光することができる。したがって、照明装置３に配置される遮光板１４の数を減少し、少ない遮光板１４で効率よく波長５５０ｎｍ以上７１０ｎｍ以下の波長の光を遮光することができる。また、遮光板１４の数を減少することができるので、コストを低減することができる。
【００６５】
このように、本変形例にかかる照明装置３によると、少ない遮光板１４で効率よく波長５５０ｎｍ以上７１０ｎｍ以下の波長の光を遮光して、農作物に対する光害を低減することができる。
【００６６】
（効果等）
以上のように、本実施の形態にかかる照明装置は、農作地に隣接した領域に設置される照明装置であって、基板上に配置された複数の光源と、前記複数の光源から照射される光のうち所定の波長の光を遮光する遮光板とを備え、前記遮光板は、前記基板上であって、少なくとも前記複数の光源のうち最も前記農作地側に配置された光源よりも前記農作地側に設けられ、前記複数の光源からの光のうち前記遮光板を透過した第１の照射光を前記農作地に照射し、前記複数の光源からの光のうち前記遮光板を透過しなかった第２の照射光を前記農作地に照射しない形状を有している。
【００６７】
これにより、遮光板によりＰｒ型フィトクロムが反応する所定の波長の光を遮光するので、農作物へは第２の照射光が照射されない。よって、農作物への光害を抑制することができる。また、道路には、所定の波長の光を遮光していない第２の照射光が照射されるので、歩行者や運転者の視認性を確保することができる。
【００６８】
また、上述した実施の形態に示す照明装置１のように、前記所定の波長は、５５０ｎｍ以上７１０ｎｍ以下の波長であってもよい。
【００６９】
５５０ｎｍ以上７１０ｎｍ以下の波長の光は、Ｐｒ型フィトクロムが反応する波長である。したがって、５５０ｎｍ以上７１０ｎｍ以下の波長の光を遮光することにより、農作物への光害を抑制することができる。
【００７０】
また、前記照明装置は、前記農作地側の一端に、前記照明装置を支柱に取り付けるための取付部を備え、前記遮光板は、前記照明装置の前記農作地側の一端から前記取付部が配置されていない他端に向かう方向と交差する方向の幅が、前記複数の光源のいずれの幅よりも大きくてもよい。
【００７１】
また、前記遮光板の高さは、前記複数の光源のいずれの高さよりも大きくてもよい。
【００７２】
これにより、光源から出力され遮光板に入射する照射光の光量が多くなるので、所定の波長の光の遮光量を多くすることができる。
【００７３】
また、前記第２の照射光の相関色温度は、２６００Ｋ以上１９０００Ｋ以下であってもよい。
【００７４】
これにより、第２の照射光については特定の波長の光は遮光されないので、第２の照射光の相関色温度は、全ての光源色区分を含む２６００Ｋ以上１９０００Ｋ以下としてもよい。これにより、道路には、全ての光源色区分を含む第２の照射光を照射することができるので、歩行者や運転者の視認性を確保することができる。
【００７５】
また、前記第１の照射光は、前記第２の照射光に対して、光源色の区分を少なくとも１区分高くした光であってもよい。
【００７６】
また、前記第１の照射光の放射エネルギーの割合は、前記第２の照射光の放射エネルギーの割合よりも５％以上低くてもよい。
【００７７】
これにより、第１の照射光は、第２の照射光よりも所定の波長の光が低減された光とすることができる。
【００７８】
また、前記遮光板は、前記複数の光源の１個ごとに設けられていてもよい。
【００７９】
これにより、光源と遮光板とは一対の組をなしているので、光源からの光は、組をなしている遮光板によってそれぞれ所定の波長の光が遮光される。よって、より確実に当該波長の光を遮光することができる。したがって、農作物に対して光害の発生をより確実に抑制することができる。
【００８０】
また、前記遮光板は、前記複数の光源の間ごとに設けられていてもよい。
【００８１】
これにより、複数の光源から照射される所定の波長の光を、それぞれ光源の近傍で遮光することができる。
【００８２】
また、前記遮光板は、前記複数の光源が直線状に配置された領域を挟むように設けられていてもよい。
【００８３】
これにより、複数の光源のすべてから照射される光を遮光板により遮光することができる。したがって、照明装置に配置される遮光板の数を減少し、少ない遮光板で効率よく所定の波長の光を遮光することができる。
【００８４】
また、前記第１の照射光は、前記農作地の方向へ、前記第２の照射光の最大光度方向に対して７０度の照射角度以上の領域を少なくとも含むように照射されてもよい。
【００８５】
これにより、農作地には第２の照射光は照射されず、第１の照射光のみが照射されることとなる。よって、農作物へは第２の照射光が照射されないので、農作物への光害を抑制することができる。
【００８６】
また、前記遮光板の高さ方向は、前記複数の光源の光軸方向と並行であってもよい。
【００８７】
これにより、少なくとも光源の光軸方向には、所定の波長の光が遮光されていない光を照射することができる。
【００８８】
また、前記複数の光源は、発光素子と光学レンズとを有し、前記発光素子は、前記光学レンズで覆われていてもよい。
【００８９】
これにより、光源は、光軸方向だけでなく、光軸と垂直な方向および他の方向にも光を照射することができる。
【００９０】
（他の変形例等）
以上、本発明の実施の形態に係る照明装置について説明したが、本発明は、上述した実施の形態に限定されるものではない。
【００９１】
例えば、遮光板の形状はどのような形状であってもよい。遮光板の形状は、例えば、照明カバーの内部の大きさおよび形状に合わせた形状としてもよい。つまり、照明カバーが矩形状である場合には遮光板の形状も矩形状、照明カバーが曲線を有する形状である場合には、遮光板の形状も当該曲線に合わせた曲線を有する形状としてもよい。
【００９２】
また、遮光板および光源の数は、上述した実施の形態に示した個数に限らず変更してもよい。また、発光素子の種類についても、ＬＥＤに限らずその他の光源を用いた光源としてもよい。また、光源は、発光素子が光学レンズで覆われた構成であってもよいし、光学レンズを有しない構成であってもよい。
【００９３】
また、上述した実施の形態および変形例では、遮光板の高さ方向を光軸方向と並行な方向としているが、遮光板の高さ方向を光軸方向に対して角度を有する方向としてもよい。例えば、遮光板を光軸方向よりも道路側に傾斜させて配置してもよい。これにより、第２のほう遮光をより道路側に照射することができるので、農作地に第２の照射光が照射するのをさらに抑制することができる。
【００９４】
また、上述した実施の形態および変形例で用いた数字は、全て本発明を具体的に説明するために例示するものであり、本発明は例示された数字に制限されない。
【００９５】
以上、実施の形態および変形例について、当業者が思いつく各種変形を施して得られる形態や、本発明の趣旨を逸脱しない範囲で実施の形態および変形例における構成要素および機能を任意に組み合わせることで実現される形態も本発明に含まれる。
【符号の説明】
【００９６】
１、２、３  照明装置
１１  基板
１２  光源
１２ａ  発光素子
１２ｂ  光学レンズ
１４  遮光板
１８  取付部
【図１】
0006587102.tif 000002
【図２】
0006587102.tif 000003
【図３】
0006587102.tif 000004
【図４】
0006587102.tif 000005
【図５】
0006587102.tif 000006
【図６】
0006587102.tif 000007
【図７】
0006587102.tif 000008
【図８】
0006587102.tif 000009